(57)【要約】【課題】イヤホンの使用時に、装置本体から取り外したアクセサリープラグの置き場に困ったり、アクセサリープラグを紛失したりすることがないプラグセットを提供する。【解決手段】スマートフォンＳＰのイヤホンジャックＹＪに対して挿脱されるプラグ部を有するアクセサリープラグ１０と、このアクセサリープラグ１０のプラグ部が挿脱されるジャック部２４を有するとともに、イヤホンコード３０Ａに取り付けられる取付ベース２０とを備え、取付ベース２０は、イヤホンコード３０Ａに取り付けられた状態で、イヤホンコード３０Ａに沿って移動可能である。【選択図】図３
0003177630.tif 000002
【実用新案登録請求の範囲】
【請求項１】
装置本体のイヤホンジャックに対して挿脱されるプラグ部を有するアクセサリープラグと、
前記アクセサリープラグの前記プラグ部が挿脱されるジャック部を有するとともに、イヤホンコードに取り付けられる取付ベースと、を備える、
プラグセット。
【請求項２】
前記取付ベースは、前記イヤホンコードに取り付けられた状態で、前記イヤホンコードに沿って移動可能である、
ことを特徴とする請求項１に記載のプラグセット。
【請求項３】
前記取付ベースは、前記イヤホンコードが貫通するコード孔を有するブロック状に形成されている、
ことを特徴とする請求項１又は２に記載のプラグセット。
【請求項４】
前記取付ベースは、相互に分割可能なＡ部分とＢ部分とをそれぞれの合わせ面で合わせて係合されることでブロック状に構成されるとともに、前記合わせ面に貫通方向に沿った前記コード孔の断面が形成されている、
ことを特徴とする請求項３に記載のプラグセット。
【請求項５】
前記取付ベースは、前記イヤホンコード１本分が貫通する太さの前記コード孔を複数有する、
ことを特徴とする請求項３又は４に記載のプラグセット。
【請求項６】
前記取付ベースは、前記イヤホンコードの複数本分が貫通する太さの前記コード孔を有する、
ことを特徴とする請求項３又は４に記載のプラグセット。
【請求項７】
前記取付ベースが、湾曲可能な紐状部分と、前記紐状部分の長手方向の一方の端部に設けられて前記ジャック部を有するブロック状部分と、前記紐状部分の長手方向の他方の端部に設けられて前記イヤホンコードに着脱可能な環状部分とを有する、
ことを特徴とする請求項２に記載のプラグセット。
【請求項８】
前記取付ベースは、前記紐状部分と前記ブロック状部分と前記環状部分とが、弾性を有する合成樹脂によって一体成形されている、
ことを特徴とする請求項７に記載のプラグセット。
【請求項９】
装置本体のイヤホンジャックに対して挿脱されるプラグを有するイヤホンと、
前記イヤホンのイヤホンコードに取り付けられる請求項１ないし７のいずれか１項に記載のプラグセットと、を備える、
イヤホンセット。
【考案の詳細な説明】
【技術分野】
【０００１】
本考案は、携帯電話やスマートファンで使用するイヤホンに対して着脱自在なプラグセット、及びこれを備えたイヤホンセットに関する。
【背景技術】
【０００２】
携帯電話やスマートフォンにおいて、イヤホンを使用しない場合に、イヤホンジャックを他の用途に使用することがある。
【０００３】
例えば、特許文献１には、イヤホンジャックに小型電卓を装着する技術が開示されている。小型電卓は、基板とプラグとが一体に構成されていている。小型電卓は、使用時にはプラグをイヤホンジャックに挿入して携帯電話に装着する。一方、不使用時にはプラグをイヤホンジャックから引き抜くことで携帯電話から取り外す。取り外した小型電卓は、ストラップに設けられたキャップにプラグを挿入することでストラップに取り付ける。
【０００４】
上述のような携帯電話やスマートフォン（以下「装置本体」という。）において、イヤホンの不使用時に、アクセサリープラグを装置本体に装着して、ドレスアップを図ることがある。
【０００５】
アクセサリープラグは、例えば、キャラクタやマスコット（以下「キャラクタ等」という。）とプラグ部とが一体に構成されていて、プラグ部を装置本体のイヤホンジャックに挿入することで装置本体に取り付ける。キャラクタ等により、装置本体をドレスアップすることができる。
【０００６】
一方、アクセサリープラグは、イヤホンの使用時には、装置本体から取り外す。すなわち、装置本体のイヤホンジャックからアクセサリープラグのプラグ部を引き抜いてアクセサリープラグを装置本体から取り外し、その後、イヤホンのプラグを装置本体のイヤホンジャックに挿入してイヤホンを使用する。
【先行技術文献】
【特許文献】
【０００７】
【特許文献１】特開２００１−３３１４５６号公報
【考案の概要】
【考案が解決しようとする課題】
【０００８】
しかしながら、イヤホンの使用時に装置本体から取り外したアクセサリープラグは、その置き場に困ったり、極端な場合には置き忘れて紛失したりするおそれがあった。
本考案は、上述した事情に鑑みてなされたものであり、イヤホンの使用時に、装置本体から取り外したアクセサリープラグの置き場に困ったり、アクセサリープラグを紛失したりすることがないプラグセット、及びこれを備えたイヤホンセットを提供することを目的とするものである。
【課題を解決するための手段】
【０００９】
請求項１に係る考案は、プラグセットにおいて、装置本体のイヤホンジャックに対して挿脱されるプラグ部を有するアクセサリープラグと、前記アクセサリープラグの前記プラグ部が挿脱されるジャック部を有するとともに、イヤホンコードに取り付けられる取付ベースと、を備える。
【００１０】
請求項２に係る考案は、請求項１に係るプラグセットにおいて、前記取付ベースは、前記イヤホンコードに取り付けられた状態で、前記イヤホンコードに沿って移動可能である、ことを特徴とする。
【００１１】
請求項３に係る考案は、請求項１又は２に係るプラグセットにおいて、前記取付ベースは、前記イヤホンコードが貫通するコード孔を有するブロック状に形成されている、ことを特徴とする。
【００１２】
請求項４に係る考案は、請求項３に係るプラグセットにおいて、前記取付ベースは、相互に分割可能なＡ部分とＢ部分とをそれぞれの合わせ面で合わせて係合されることでブロック状に構成されるとともに、前記合わせ面に貫通方向に沿った前記コード孔の断面が形成されている、ことを特徴とする。
【００１３】
請求項５に係る考案は、請求項３又は４に係るプラグセットにおいて、前記取付ベースは、前記イヤホンコード１本分が貫通する太さの前記コード孔を複数有する、ことを特徴とする。
【００１４】
請求項６に係る考案は、請求項３又は４に係るプラグセットにおいて、前記取付ベースは、前記イヤホンコードの複数本分が貫通する太さの前記コード孔を有する、ことを特徴とする。
【００１５】
請求項７に係る考案は、請求項２に係るプラグセットにおいて、前記取付ベースが、湾曲可能な紐状部分と、前記紐状部分の長手方向の一方の端部に設けられて前記ジャック部を有するブロック状部分と、前記紐状部分の長手方向の他方の端部に設けられて前記イヤホンコードに着脱可能な環状部分とを有する、ことを特徴とする。
【００１６】
請求項８に係る考案は、請求項７に記載のプラグセットにおいて、前記取付ベースは、前記紐状部分と前記ブロック状部分と前記環状部分とが、弾性を有する合成樹脂によって一体成形されている、ことを特徴とする。
【００１７】
請求項９に係る考案は、イヤホンセットにおいて、装置本体のイヤホンジャックに対して挿脱されるプラグを有するイヤホンと、前記イヤホンのイヤホンコードに取り付けられる請求項１ないし７のいずれか１項に記載のプラグセットと、を備える。
【考案の効果】
【００１８】
請求項１の考案によれば、イヤホンを使用しない場合には、装置本体のイヤホンジャックにアクセサリープラグのプラグ部を挿入することにより、装置本体にアクセサリープラグを装着して、装置本体をドレスアップすることができる。
【００１９】
一方、イヤホンを使用する場合には、装置本体のイヤホンジャックからアクセサリープラグのプラグ部を引き抜いて、装置本体からアクセサリープラグを取り外し、そのプラグ部を、イヤホンコードに取り付けられている取付ベースのジャック部に挿入することで、アクセサリープラグを取付ベースに取り付けることができる。
【００２０】
そして、イヤホンのプラグを装置本体のイヤホンジャックに挿入することで、イヤホンの使用が可能となる。つまり、イヤホンの使用時には、装置本体から取り外したアクセサリープラグを、取付ベースとともにイヤホンと一体的に保持することができるので、アクセサリープラグの置き場に困ったり、アクセサリープラグを紛失したりするおそれがない。
【００２１】
請求項２の考案によれば、取付ベースは、イヤホンコードに沿って移動可能であるので、イヤホンを使用する際に、邪魔にならない位置や装飾効果の高い位置に移動させることができる。
【００２２】
請求項３の考案によれば、ブロック状の取付ベースは、コード孔を貫通するイヤホンコードに沿って移動させることができる。
【００２３】
請求項４の考案によれば、ブロック状の取付ベースは、相互に分割可能なＡ部分とＢ部分との合わせ面にコード孔が形成されているので、Ａ部分とＢ部分とに分割して、イヤホンコードをコード孔にセットした後、Ａ部分とＢ部分とを係合させることで、イヤホンコードを簡単に透孔に貫通させることができる。つまり、取付ベースをイヤホンコードの任意の位置に簡単に着脱することができる。
【００２４】
請求項５の考案によれば、例えば、ステレオタイプのイヤホンは、耳側が２股に分かれているが、２股に分かれた後のイヤホンコードのそれぞれを、取付ベースの２個のコード孔に貫通させて、取付ベースを移動させることにより、２股に分岐する部分の位置を変更して、２股に分岐された後のイヤホンコードの長さを調整することができる。
【００２５】
請求項６の考案によれば、例えば、ステレオタイプのイヤホンは、耳側が２股に分かれているが、２股に分かれた後のイヤホンコードをまとめて取付ベースのコード孔に貫通させて、取付ベースを移動させることにより、２股に分岐する部分の位置を変更して、２股に分岐された後のイヤホンコードの長さを調整することができる。
【００２６】
請求項７の考案によれば、プラグセットを他の用途、例えば、キーホルダとしても使用することができる。
【００２７】
請求項８の考案によれば、取付ベースの製造が容易である。
【００２８】
請求項９の考案によれば、上述の請求項１ないし８のいずれか１項のプラグセットの効果を、イヤホンセットとして奏することができる。
【図面の簡単な説明】
【００２９】
【図１】（Ａ）はプラグセット１を説明する斜視図であり、（Ｂ）はイヤホンセット２を説明する斜視図である。
【図２】（Ａ）は取付ベース２０の上面図あり、（Ｂ）は（Ａ）中のＸ−Ｘ線矢視図である。
【図３】（Ａ）スマートフォンＳＰにイヤホン３０を装着した状態を示す斜視図であり、（Ｂ）はスマートフォンＳＰにアクセサリープラグ１０を装着した状態を説明する斜視図である。
【図４】（Ａ）は取付ベース２０Ａの上面図、（Ｂ）は正面図、（Ｃ）は右側面図、（Ｄ）は斜視図である。
【図５】（Ａ）はパーツＡの上面図、（Ｂ）は正面図、（Ｃ）は右側面図、（Ｄ）は背面図、（Ｅ）は斜視図である。
【図６】（Ａ）はパーツＢの上面図、（Ｂ）は正面図、（Ｃ）は右側面図、（Ｄ）は背面図、（Ｅ）は斜視図である。
【図７】（Ａ）はプラグセット３の取付ベース５０からアクセサリープラグ１０を取り外した状態を示す斜視図であり、（Ｂ）はアクセサリープラグ１０を装着した状態を示す斜視図である。
【図８】（Ａ）はプラグセット３Ａの正面図であり、（Ｂ）は右側面図である。
【図９】（Ａ）はプラグセット３Ｂの正面図であり、（Ｂ）は右側面図である。
【図１０】イヤホンセット４をスマートフォンＳＰに装着した状態を説明する斜視図である。
【考案を実施するための形態】
【００３０】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３１】
図１〜図３を参照して本考案を適用した実施形態１に係るプラグセット１、及びイヤホンセット２について説明する。
図１〜図３のうち、図１（Ａ）は実施形態１のプラグセット１を説明する斜視図であり、（Ｂ）は実施形態１のイヤホンセット２を説明する斜視図である。また、図２（Ａ）は取付ベース２０の上面図あり、（Ｂ）は（Ａ）中のＸ−Ｘ線矢視図である。また、図３（Ａ）は装置本体としてのスマートフォンＳＰにイヤホン３０を装着した状態を示す斜視図であり、（Ｂ）はスマートフォンＳＰにアクセサリープラグ１０を装着した状態を説明する斜視図である。
【００３２】
図１に示すように、プラグセット１は、アクセサリープラグ１０と取付ベース２０とを備えて構成されている。
【００３３】
アクセサリープラグ１０は、プラグ部（フェイクプラグ）１１と装飾部１２とを有している。
【００３４】
プラグ部１１は、一般的なイヤホン３０のプラグ３２と同形に形成されていて、図３に示すスマートフォン（装置本体）ＳＰ等のイヤホンジャックＹＪに対して挿脱可能となっている。
【００３５】
装飾部１２は、図示例では、人形を模したマスコットであり、胴部１２ａ、頭部１２ｂ、腕部１２ｃ等を有している。装飾部１２としては、マスコット以外に、例えば、キャラクタ、動物、乗り物、花等があげられる。
【００３６】
プラグ部１１と装飾部１２とは、例えば、プラスチック（合成樹脂）によって一体成形することによって形成することができる。また、デザインに合わせて適宜、着色されている。
【００３７】
取付ベース２０は、樽形（ブロック状）に形成されている。取付ベース２０は、円形の上面（天面）２１と下面（底面）２２とこれらの間の周面２３とによって構成されている。
【００３８】
取付ベース２０の周面２３は、図２（Ｂ）に示すように、外側に向かって緩やかな凸状に形成されている。すなわち、周面２３は上面２１及び下面２２の近傍において半径が最小となり、上面２１及び下面２２のそれぞれから上下方向の中心に向かうに従って直径が漸増し、上下方向の中心２３ａにおいて、直径が最大となる。
【００３９】
このため、取付ベース２０は、後述のように、ユーザがイヤホンコード３１に沿って移動させる際に、この直径が最大の部分を２本の指（例えば、親指と人差し指）で挟んで移動させることで良好な操作性を確保することができる。取付ベース２０は、例えば、高さＴが１６ｍｍ、最大直径Ｄが１５ｍｍ程度に形成されている。
【００４０】
取付ベース２０には、ジャック部２４とコード孔２５を有している。ジャック部２４は、上面２１から下面２２まで貫通するように形成されている。ジャック部２４に対し、アクセサリープラグ１０のプラグ部１１が挿脱可能となっている。ジャック部２４は、アクセサリープラグ１０のプラグ部１１が嵌合された際には、ユーザが積極的に引き抜かない限り、プラグ部１１が抜けない程度の力で嵌合するようになっている。
【００４１】
コード孔２５は、上面２１とから下面２２まで貫通するように形成されている。図示例では、２個（複数）のコード孔２５が、隣接して並ぶように形成されている。つまり、コード孔２５を複数有している。
【００４２】
コード孔２５には、イヤホンコード３１が嵌合状態で移動可能に貫通されている。すなわち、コード孔２５とイヤホンコード３１とは、一方に対して他方をスライド移動させる際に、両者間に比較的大きな摩擦力が作用するように嵌合されている。言い換えると、イヤホンコード３１に対して、ユーザが取付ベース２０を積極的に移動させる場合には移動するが、それ以外の場合には、取付ベース２０は不要に移動しないようになっている。
【００４３】
なお、コード孔２５は、２個に限らず、１個でも、また、３個以上であってもよい。さらに、イヤホンコード３１が２本分以上はいる大きな透孔であってもよい。
【００４４】
なお、取付ベース２０の形状は、上述の樽形に限らず、例えば、円柱状、角柱状、円錐台状、角錐台状、直方体状、立法体状、球状、ラグビーボール状等の幾何学的な立体形状を採用することができる。さらに、このほかに、他の任意の形状を採用することができる。例えば、手の形状を模して形成した造形としたときには、手の形状の取付ベース２０で、人形を模した装飾部１２を握ったように見せることができ、デザイン的に造形的に興趣あるものとすることができる。このように、装飾部１２と、取付ベース２０とは、デザイン的に統一感の取れたものとするとよい。
【００４５】
図１（Ｂ）に示すイヤホン３０は、モノラルタイプのイヤホンである。このイヤホン３０は、１本のイヤホンコード３１の両端に、プラグ３２とイヤホン部３３とを有している。
【００４６】
図１（Ｂ）に示すように、２個のコード孔２５，２５にイヤホンコード３１を貫通させて、下面２２側にループ部３１ａを形成する。このループ部３１ａの大きさ（長さ）を大きくすると、イヤホン３０のプラグ３２からイヤホン部３３までの実質的な長さを短くすることができ、反対にループ部３１ａを小さくすることにより、実質的な長さを長くすることができる。
【００４７】
上述のようにアクセサリープラグ１０と、取付ベース２０とによって、プラグセット１が構成され、さらに、このプラグセット１にイヤホン３０を組み合わせることによって、イヤホンセット２が構成される。
【００４８】
図３に示すイヤホン３０Ａは、ステレオタイプのイヤホン３０Ａである。このイヤホン３０Ａは、プラグ３２に接続されたイヤホンコード３１が、右コード３１Ｒと左コード３１Ｌとに分割され、それぞれの先端に右イヤホン部３２Ｒと左イヤホン部３２Ｌとが設けられている。
【００４９】
イヤホン３０Ａに対し、取付ベース２０は、一方のコード孔２５に右コード３１Ｒが貫通され、他方のコード孔２５に左コード３１Ｌが貫通されている。このため、プラグセット１の取付ベース２０を下降させると、右コード３１Ｒ、左コード３１Ｌの実質的な長さが長くなり、反対に、取付ベース２０を上昇させるとこれらの実質的な長さが短くなる。
【００５０】
図３に示す例では、プラグセット１とイヤホン３０Ａとによってイヤホンセット２Ａを構成している。
【００５１】
図３（Ｂ）に示すように、イヤホン３０Ａを使用しない場合には、イヤホン３０Ａのプラグ３２を、スマートフォンＳＰのイヤホンジャックＹＪから引き抜き、そこにプラグセット１の取付ベース２０から取り外したアクセサリープラグ１０のプラグ部１１（図１参照）を挿入する。これにより、アクセサリープラグ１０がスマートフォンＳＰの装飾に供される。
【００５２】
一方、図３（Ａ）に示すように、イヤホン３０Ａを使用する場合には、まず、スマートフォンＳＰからアクセサリープラグ１０を取り外し、このアクセサリープラグ１０を、そのプラグ部１１を取付ベース２０のジャック部２４に挿入することで、取付ベース２０に取り付ける。さらに、イヤホン３０Ａのプラグ３２をスマートフォンＳＰのイヤホンジャックＹＪに挿入することで、イヤホン３０ＡをスマートフォンＳＰに取り付ける。
【００５３】
このように、アクセサリープラグ１０は、イヤホン３０Ａを使用する際には、イヤホン３０Ａに取り付けられた取付ベース２０に装着することができるので、邪魔になったり、紛失したりするおそれがない。
【００５４】
なお、装置本体としては、上述のスマートフォンＳＰの外に、例えば、一般の（スマートフォン以外の）携帯電話、ＰＨＳ、さらには、携帯ラジオ、携帯可能な音楽プレー等があげられる。なお、プラグセット１の装着先は、イヤホンに限らず、これに類するもの、例えば、ヘッドホンであってもよい。
【００５５】
図４〜図６を参照して、取付ベース２０Ａが、２つのパーツであるパーツＡとパーツＢとを組み合わせて構成される例を説明する。この取付ベース２０Ａは、ユーザによって分解・組立可能である。
【００５６】
図４は（Ａ）は取付ベース２０Ａの上面図、図４（Ｂ）は正面図、図４（Ｃ）は右側面図、図４（Ｄ）は斜視図である。
【００５７】
また、図５は（Ａ）はパーツＡの上面図、図５（Ｂ）は正面図、図５（Ｃ）は右側面図、図５（Ｄ）は背面図、図５（Ｅ）は斜視図である。
【００５８】
また、図６は（Ａ）はパーツＢの上面図、図６（Ｂ）は正面図、図６（Ｃ）は右側面図、図６（Ｄ）は背面図、図６（Ｅ）は斜視図である。
【００５９】
これらの図に示すように、取付ベース２０Ａは、パーツＡとパーツＢとを相互に組み合わせて構成されている。
【００６０】
パーツＡは、アクセサリープラグ１０のプラグ部１１が挿脱されるジャック部２４が形成され、また、凸部Ａ１が形成されている。さらに、合わせ面Ａ３には、嵌合孔Ａ２が形成されている。一方、パーツＢには、上述の凸部Ａ１が係合される凹部Ｂ１が形成されている。さらに、合わせ面Ｂ３には、上述の嵌合孔Ａ２に係脱可能な嵌合突起Ｂ２が設けられている。
【００６１】
パーツＡとパーツＢとは、嵌合孔Ａ２に嵌合突起Ｂ２を嵌合させることで、組み合わせることができる。つまり着脱可能である。この際、パーツＡの凸部Ａ１とパーツＢの凹部Ｂ１との間には、間隙が形成され、これがコード孔２５Ａとなる。
【００６２】
このコード孔２５Ａは、上面視において長方形状に形成されていて、イヤホンコードの２本分以上の大きさを有する。つまり、図３に示すイヤホンコード３１の右コード３１Ｒと左コード３１Ｌとの双方が貫通することができる。このコード孔２５Ａは、パーツＡとパーツＢとの合わせ面Ａ３，Ｂ３に形成されていて、この合わせ面Ａ３，Ｂ３に、右コード３１Ｒ、左コード３１Ｌの貫通方向に沿ったコード孔２５Ａの断面が形成されているといえる。
【００６３】
この分割可能な取付ベース２０Ａあっては、ユーザは、パーツＡとパーツＢとに分解した状態で、イヤホンコード３０Ａの任意の位置に対して、これらを組み合わせて取り付けることができる。すなわち、この取付ベース２０Ａは、コード孔２５Ａに、図３（Ａ），（Ｂ）に示す右コード３１Ｒ、左コード３１Ｌを貫通させることはもちろん、二股に分岐される前のこれら２本が束ねられた状態のイヤホンコード３１（図３（Ａ）におけるプラグ３２近傍）を貫通させることもできる。
＜実施形態２＞
【００６４】
図７〜図１０を参照して、本考案を適用した実施形態２のプラグセット３，３Ａ，３Ｂについて説明する。
【００６５】
図７〜図１０のうち、図７（Ａ）はプラグセット３の取付ベース５０からアクセサリープラグ１０を取り外した状態を示す斜視図であり、（Ｂ）はアクセサリープラグ１０を装着した状態を示す斜視図である。また、図８（Ａ）はプラグセット３Ａの正面図であり、（Ｂ）は右側面図である。また、図９（Ａ）はプラグセット３Ｂの正面図であり、（Ｂ）は右側面図である。また、図１０は、イヤホンセット４をスマートフォンＳＰに装着した状態を説明する斜視図である。
図７に示すプラグセット３は、アクセサリープラグ１０と、上述の取付ベース２０とは異なる取付ベース５０とを備えて構成されている。
【００６６】
取付ベース５０は、紐状部分５１と、その長手方向の一方の端部と他方の端部とにそれぞれ設けられたブロック状部分５２、環状部分としてのループ状部分５３を有している。
【００６７】
紐状部分５１は、湾曲可能に構成されている。ブロック状部分５２は、円筒状に形成されていて、紐状部分５１とは反対側の端面にジャック部５４を有している。ジャック部５４は、アクセサリープラグ１０のプラグ部１１が挿脱可能である。ループ状部分５３は、閉じた輪に形成されている。
【００６８】
取付ベース５０は、紐状部分５１とブロック状部分５２とループ状部分５３とが、弾性を有する合成樹脂、例えば、合成ゴムによって形成されていて、紐状部分５１、ループ状部分５３は適度に伸縮可能である。
【００６９】
プラグセット３は、ブロック状部分５２をループ状部分５３に挿通して紐状部分５１をリング状とし、このリング状の部分にイヤホンコード３１を通した後、リング状の部分を小さくすることで、イヤホン３０Ａに取り付けることができる。また、取り外しはこの逆である。
【００７０】
こうして、イヤホン３０Ａに装着されたプラグセット３は、イヤホン３０Ａを使用しない場合には、イヤホン３０Ａのプラグ３２を、スマートフォンＳＰのイヤホンジャックＹＪから引き抜き、ブロック状部分５２から取り外したアクセサリープラグ１０のプラグ部１１（図１参照）を挿入する。これにより、アクセサリープラグ１０がスマートフォンＳＰの装飾に供される。
【００７１】
一方、イヤホン３０Ａを使用する場合には、まず、スマートフォンＳＰからアクセサリープラグ１０を取り外し、このアクセサリープラグ１０を、そのプラグ部１１をブロック状部分５２のジャック部５４に挿入することで、取付ベース５０に取り付ける。さらに、イヤホン３０Ａのプラグ３２をスマートフォンＳＰのイヤホンジャックＹＪに挿入することで、イヤホン３０ＡをスマートフォンＳＰに取り付ける。
【００７２】
このように、アクセサリープラグ１０は、イヤホン３０Ａを使用する際には、イヤホン３０Ａに取り付けられたプラグセット３のブロック状部分５２に装着することができるので、邪魔になったり、紛失したりするおそれがない。
【００７３】
図８に示すプラグセット３Ａは、上述のプラグセット３の取付ベース５０のループ状部分５３が、リング状部分（環状部分）５３Ａに変更されたものであり、他の部分の構成は同じである。図８に示す取付ベース５０Ａの紐状部分５１Ａの一方の端部には、中心に、イヤホンコード３１が貫通可能な透孔５４Ａを有するリング状部分５３Ａが設けてある。このリング状部分５３Ａには、透孔５４Ａまで至る切り込み５５Ａが形成されていて、これを利用して、透孔５４Ａにイヤホンコード３１を通すようになっている。
【００７４】
図９に示すプラグセット３Ｂは、上述のプラグセット３の取付ベース５０のループ状部分５３が、アイ状部分（環状部分）５３Ｂに変更されたものであり、他の部分の構成は同じである。図９に示す取付ベース５０Ｂの紐状部分５１Ｂの一方の端部には、中心に、イヤホンコード３１が貫通可能な透孔５４Ｂを有するアイ状部分５３Ｂが設けてある。プラグセット３Ｂは、この透孔５４Ｂに、イヤホン３０Ａのプラグ３２を通過させることにより、イヤホンコード３１に取り付けることができる。
【００７５】
図１０は、イヤホン３０Ａとプラグセット３Ｂとを備えたイヤホンセット４をスマートフォンＳＰに装着した状態を示す斜視図である。
【００７６】
同図に示すように、イヤホン３０Ａを使用する場合には、まず、スマートフォンＳＰからアクセサリープラグ１０を取り外し、このアクセサリープラグ１０を、そのプラグ部１１（図１参照）を取付ベース５０Ｂのジャック部に挿入することで、取付ベース５０Ｂに取り付ける。さらに、イヤホン３０Ａのプラグ３２をスマートフォンＳＰのイヤホンジャックＹＪに挿入することで、イヤホン３０ＡをスマートフォンＳＰに取り付ける。
【００７７】
一方、イヤホン３０Ａを使用しない場合には、イヤホン３０Ａのプラグ３２を、スマートフォンＳＰのイヤホンジャックＹＪから引き抜き、そこにプラグセット３Ｂの取付ベース５０Ｂから取り外したアクセサリープラグ１０のプラグ部１１を挿入する。これにより、アクセサリープラグ１０がスマートフォンＳＰの装飾に供される。
【００７８】
このように、アクセサリープラグ１０は、イヤホン３０Ａを使用する際には、イヤホン３０Ａに取り付けられた取付ベース５０Ｂに装着することができるので、邪魔になったり、紛失したりするおそれがない。
【００７９】
上述のプラグセット３，３Ａ，３Ｂは、イヤホン３０Ａから取り外した際には、例えば、キーホルダとしても使用することができる。
【００８０】
この場合には、例えば、環状部分（ループ状部分５３、リング状部分５３Ａ、アイ状部分５３Ｂ）に、複数のキーを束ねる金属リング（不図示）を取り付けるようにすればよい。
【００８１】
なお、以上では、プラグセット３，３Ａ，３Ｂは、それぞれの紐状部分５１，５１Ａ，
５１Ｂと、ブロック状部分５２と環状部分（ループ状部分５３、リング状部分５３Ａ、アイ状部分５３Ｂ）とが、合成樹脂によって一体的に形成されている場合を説明したが、これに限定されず、それぞれ別な部材で形成してもよく、また、別な材料で形成してもよい。
【００８２】
また、以上では、プラグセット３，３Ａ，３Ｂの取付ベース５０，５０Ａ，５０Ｂのブロック状部材５２が円筒状に形成されている場合を例に説明したが、これに限定される物ではなく、ブロック状部材５２は、上述の取付ベース２０と同様の樽形であってもよい。
【００８３】
さらには、例えば、角柱状、円錐台状、角錐台状、直方体状、立法体状、球状、ラグビーボール状等の幾何学的な立体形状を採用することができる。
【００８４】
さらに、このほかに、他の任意の形状を採用することができる。例えば、手の形状を模して形成した造形としたときには、手の形状のブロック状部分５２で、人形を模したアクセサリープラグ１０を握ったように見せることができ、デザイン的に造形的に興趣あるものとすることができる。このように、アクセサリープラグ１０と、取付ベース５０等とは、デザイン的に統一感の取れたものとするとよい。
【符号の説明】
【００８５】
１，３，３Ａ，３Ｂ  プラグセット
２，２Ａ，４  イヤホンセット
１０  アクセサリープラグ
１１  プラグ部
２０，２０Ａ，５０，５０Ａ，５０Ｂ  取付ベース
２４  ジャック部
２５，２５Ａ  コード孔
３０，３０Ａ  イヤホン
３１  イヤホンコード
３１Ｒ  右コード
３１Ｌ  左コード
５１，５１Ａ，５１Ｂ  紐状部分
５２  ブロック状部分
５３  ループ状部分（環状部分）
５３Ａ  リング状部分（環状部分）
５３Ｂ  アイ状部分（環状部分）
Ａ  パーツＡ（Ａ部分）
Ａ３  合わせ面
Ｂ  パーツＢ（Ｂ部分）
Ｂ３  合わせ面
ＳＰ  スマートフォン（装置本体）
ＹＪ  イヤホンジャック
【図１】
0003177630.tif 000003
【図２】
0003177630.tif 000004
【図３】
0003177630.tif 000005
【図４】
0003177630.tif 000006
【図５】
0003177630.tif 000007
【図６】
0003177630.tif 000008
【図７】
0003177630.tif 000009
【図８】
0003177630.tif 000010
【図９】
0003177630.tif 000011
【図１０】
0003177630.tif 000012